(57)【特許請求の範囲】
【請求項１】
光源モジュールが取り付けられた器具本体の出射開口に光透過性のカバーを備える照明器具において、
前記カバーの周縁には樹脂製のカバー押さえが形成され、
前記カバー押さえは、前記カバーの枠部に設けられる端壁部を有し、前記器具本体の方向に延在した一対の弾性部の先端に形成された爪部を前記端壁部に有し、
前記出射開口の周囲の前記カバーの内面が載置される載置面に前記端壁部が挿嵌される溝部が設けられ、当該溝部の底面に前記載置面を表裏に貫通する係止孔が形成されており、
前記係止孔に前記爪部を挿入して、前記カバーを前記器具本体に固定し、
前記出射開口の周縁には、前記係止孔に挿入された前記爪部を前記器具本体の側面に露出させる切り欠きが形成されている
ことを特徴とする照明器具。
【請求項２】
前記カバーは、ガラス製であり、
前記カバーと、前記カバー押さえと、をインサート成形により一体に成形した
ことを特徴とする請求項１記載の照明器具。
【請求項３】
前記カバーの中心部は、透明なレンズ部であり、
前記レンズ部の周囲には光拡散部が設けられている
ことを特徴とする請求項１または２記載の照明器具。
【請求項４】
前記レンズ部は、前記器具本体側に設けられた複数の凹凸を備えることを特徴とする請求項３記載の照明器具。
【請求項５】
前記レンズ部はフレネルレンズであることを特徴とする請求項３記載の照明器具。
【請求項６】
前記レンズ部は凸レンズであることを特徴とする請求項３記載の照明器具。
【発明の詳細な説明】
【技術分野】
【０００１】
本発明は、出射開口に光透過性のカバーを備える照明器具に関する。
【背景技術】
【０００２】
従来、内底面に光源モジュールが取り付けられた器具本体の出射開口を透光性のカバーで覆い、このカバーをカバー押さえで器具本体の前端に固定している照明器具が知られている（例えば、特許文献１参照）。これらの照明器具では、カバー押さえを器具本体にねじ止めして固定し、カバー押さえと器具本体の間でカバーを挟持している。
【先行技術文献】
【特許文献】
【０００３】
【特許文献１】特開２０１４−１１２４８９号公報
【発明の概要】
【発明が解決しようとする課題】
【０００４】
しかしながら、器具本体の前端にカバー押さえをねじ止めして固定し、カバー押さえと器具本体との間でカバーを挟持する構造では、照明器具の組立やメンテナンス時の作業性が悪く、カバーを簡易的に固定したいという要求があった。
本発明は、上述した事情に鑑みてなされたものであり、出射開口に容易に固定することができるカバーを備える照明器具を提供することを目的とする。
【課題を解決するための手段】
【０００５】
上述した目的を達成するために、本発明は、光源モジュールが取り付けられた器具本体の出射開口に光透過性のカバーを備える照明器具において、前記カバーの周縁には樹脂製のカバー押さえが形成され、前記カバー押さえは、前記カバーの枠部に設けられる端壁部を有し、前記器具本体の方向に延在した一対の弾性部の先端に形成された爪部を前記端壁部に有し、前記出射開口の周囲の前記カバーの内面が載置される載置面に前記端壁部が挿嵌される溝部が設けられ、当該溝部の底面に前記載置面を表裏に貫通する係止孔が形成されており、前記係止孔に前記爪部を挿入して、前記カバーを前記器具本体に固定し、前記出射開口の周縁には、前記係止孔に挿入された前記爪部を前記器具本体の側面に露出させる切り欠きが形成されていることを特徴とする。
【０００６】
また、本発明は、上記の照明器具において、前記カバーは、ガラス製であり、前記カバーと、前記カバー押さえと、をインサート成形により一体に成形したことを特徴とする。
【０００７】
また、本発明は、上記の照明器具において、前記カバーの中心部は、透明なレンズ部であり、前記レンズ部の周囲には光拡散部が設けられていることを特徴とする。
【０００８】
また、本発明は、上記の照明器具において、前記レンズ部は、前記器具本体側に設けられた複数の凹凸を備えることを特徴とする。
【０００９】
また、本発明は、上記の照明器具において、前記レンズ部はフレネルレンズであることを特徴とする。
【００１０】
また、本発明は、上記の照明器具において、前記レンズ部は凸レンズであることを特徴とする。
【発明の効果】
【００１１】
本発明によれば、光源モジュールが取り付けられた器具本体の出射開口に光透過性のカバーを備える照明器具において、前記カバーの周縁には樹脂製のカバー押さえが形成され、前記カバー押さえは、前記器具本体の方向に延在した一対の弾性部の先端に形成された爪部を有し、前記出射開口の周縁に形成された係止孔に前記爪部を挿入して、前記カバーを前記器具本体に固定するため、カバー押さえと、器具本体との間でカバーを挟持させてカバーを器具本体に取り付ける必要が無く、カバーをカバー押さえと一体に器具本体に容易に固定することができる。
【図面の簡単な説明】
【００１２】
【図１】本発明の実施形態の照明器具を正面側から示す斜視図である。
【図２】照明器具の側面図である。
【図３】照明器具の分解斜視図である。
【図４】照明器具の構成を示す図であり、（Ａ）は正面図、（Ｂ）は（Ａ）のＡ−Ａ断面図、（Ｃ）は（Ａ）のＢ−Ｂ断面図、（Ｄ）は（Ａ）のＣ−Ｃ断面図である。
【図５】カバーユニットの構成を示す図であり、（Ａ）は正面図、（Ｂ）は平面図、（Ｃ）は底面図、（Ｄ）は左側面図、（Ｅ）は右側面図、（Ｆ）は（Ａ）のＡ−Ａ断面図、（Ｇ）は（Ａ）のＢ−Ｂ断面図である。
【図６】筐体の正面図である。
【図７】変形例のカバーユニットを示す図である。
【図８】レンズ部の構成を示す断面図である。
【発明を実施するための形態】
【００１３】
以下、図面を参照して本発明の実施形態について説明する。
図１は本実施形態に係る照明器具１の斜視図である。図２は、照明器具１の右側面図である。図３は照明器具１の分解斜視図である。照明器具１は、例えば、エリア照明や看板用照明として用いることができる投光器であり、図１、図２及び図３に示すように、器具本体１０と、カバーユニット４０と、背面ガード５０と、を備えている。
【００１４】
器具本体１０は、図３に示すように、矩形箱状の筐体１１と、この筐体１１の底面に設けられる光源モジュール１２と、を備えている。光源モジュール１２は、発光素子の一例たるＬＥＤを光源に備える。また、光源モジュール１２は、多数のＬＥＤをＬＥＤ基板の上に密集配置して面状の発光部を形成したチップオンボード（ＣＯＢ）型の高出力ＬＥＤであることが望ましい。さらに、筐体１１には、光源モジュール１２の配光を制御する反射鏡１４が設けられる。筐体１１は、反射鏡１４が内部に納まる適宜の深さに形成される（図４参照）。
【００１５】
図６に示すように、筐体１１の底面２０には、光源モジュール１２が取り付けられる光源取付部２１が設けられる。光源モジュール１２は、光源取付部２１に熱的に接続されて取り付けられる。筐体１１は、熱伝導性に優れた材料から形成され、例えばアルミダイキャスト製とすることができ、光源取付部２１は筐体１１に一体に成形される。
【００１６】
図３に示すように、筐体１１の、光源モジュール１２が設けられた底面２０の背面１６には、光源モジュール１２からの発熱を放熱する複数の放熱フィン１７が設けられる。光源モジュール１２からの熱は、光源取付部２１に伝熱され、さらに光源取付部２１から放熱フィン１７に伝熱されて外部に放熱される。
筐体１１の背面１６には、放熱フィン１７の周囲を囲む背面ガード５０が取付けられる。背面ガード５０は、樹脂製とすることができ、筐体１１の背面１６に備えられた構造物を保護するとともに、放熱フィン１７や、筐体１１の背面１６の充電部への手指の接触を防ぐ。また、背面ガード５０には、複数のスリット５１が設けられる。スリット５１は、このスリット５１を介して背面ガード５０の内側に指が入り込まないサイズに形成される。また、このスリット５１を介して放熱フィン１７の熱が背面ガード５０の外部に放熱される。
また、筐体１１の両側面には、筐体１１を挟むように取付アーム１５が設けられる。取付アーム１５は、照明器具１を設置面に固定するための取付部材であり、器具本体１０を回動自在に支持する機能を有する。
【００１７】
筐体１１は、光源モジュール１２の正面の開口が出射開口１３として構成される。出射開口１３には、出射開口１３を覆うカバーユニット４０が設けられる。カバーユニット４０は、透光性部材であるカバー４１と、カバー４１に枠状に設けられるカバー押さえ４２と、を備える。
カバー４１は、矩形板状のガラスから形成され、図４に示すように、少なくとも、光源モジュール１２からの光、及び、反射鏡１４により配光制御された光源モジュール１２からの光が透過する範囲を覆うように構成される。カバー押さえ４２は、樹脂から形成され、カバー４１にインサート成形により一体に成形される。つまり、カバーユニット４０は、ガラス製のカバー４１と、樹脂製のカバー押さえ４２と、をガラスインサート成形により一体成形したユニットである。
【００１８】
カバー押さえ４２は、図５に示すように、カバー４１の枠状に形成される枠部４３と、枠部の外郭に沿って設けられる端壁部４４と、を備える。端壁部４４は、図５（Ｆ）および図５（Ｇ）に示すように、カバー４１の厚みよりも高く形成される。端壁部４４には、長手方向の一対の端壁４５に、カバーユニット４０を器具本体１０に固定するための固定爪４６が設けられる。固定爪４６は、端壁４５の各々に少なくとも１つ設けられる。本実施形態では、固定爪４６は、各端壁４５に２つずつ設けられる。また、これらの４つの固定爪４６は、カバーユニット４０の短手方向、及び、長手方向の中心線に対してそれぞれ対象位置に設けられる。
【００１９】
筐体１１の前端面１８には、カバーユニット４０の固定爪４６が引き掛けられる係止孔１９が、カバーユニット４０の固定爪４６に対応する位置に設けられている。カバーユニット４０は、筐体１１に設けられた係止孔１９に、固定爪４６を引き掛けて、器具本体１０に固定され、筐体１１の出射開口１３を塞ぐ。
また、筐体１１の前端面１８には、カバー４１の内面４１Ａが載置される載置面２３が、出射開口１３の周囲に設けられる。さらに、筐体１１の前端面１８には、載置面２３の周囲に、端壁部４４が挿嵌される溝２２が形成される。上述した係止孔１９は、この溝２２内に設けられる。載置面２３、溝２２、及び、係止孔１９は、カバーユニット４０を器具本体１０の前面に取り付けた際に、筐体１１の前端面１８と、カバーユニット４０の枠部４３とが略面一となるように構成される。
【００２０】
係止孔１９は、筐体１１の前端面１８の表裏に貫通する断面矩形の孔である。固定爪４６は、一対の弾性部４７と、弾性部４７の各々の先端部に設けられ、互いに相対する方向に爪が突出する爪部４８とを備える。固定爪４６が係止孔１９内に押し込まれると、弾性部４７が弾性変形し、爪部４８が係止孔１９の内壁面に沿って移動する。そして、固定爪４６を係止孔１９の最大深度まで押し込んだ際に、爪部４８が、図４（Ｄ）に示すように、係止孔１９から突出し、筐体１１の前端面１８裏面に引き掛けられる。
【００２１】
図２に示すように、筐体１１の前端面１８の側面１８Ａには、カバーユニット４０を器具本体１０から取り外す際に、前端面１８の裏面に引き掛けられた爪部４８を係止孔１９内に押し戻すための切り欠き２４が形成される。作業者は、この切り欠き２４から爪部４８にアクセスし、手や工具により一対の爪部４８に、互いに近づける方向に力をかけて、弾性部４７を弾性変形させ、爪部４８を係止孔１９内に押し戻すことで、容易にカバーユニット４０を器具本体１０から取り外すことができる。このように、カバーユニット４０は、弾性部４７の変形により、容易に着脱可能に構成される。
【００２２】
図７は、変形例のカバーユニット１４０を示す図である。この変形例のカバーユニット１４０では、カバー１４１の中央部で、反射鏡１４の出射開口に対応する位置にレンズ部１４１Ａを設け、このレンズ部１４１Ａの周辺部にシボ加工を施した光拡散部１４１Ｂが設けられる。レンズ部１４１Ａは、図８に示すように、カバー１４１の内面、つまりカバー１４１の器具本体側の面に形成された複数の凹凸を備えている。レンズ部１４１Ａは、光源モジュール１２及び反射鏡１４からの光の配光角を狭めて、被照射面を照らすように構成される。また、図示は省略するが、レンズ部１４１Ａは、フレネルレンズであり、レンズ部１４１Ａにより、光源モジュール１２及び反射鏡１４からの光を所望の照射範囲を照らすように配光する構成であっても良い。さらに、図示は省略するが、レンズ１４１部Ａは、凸レンズであり、光源モジュール１２及び反射鏡１４からの光を被照射面に対して集光させるように構成されていても良い。また、光拡散部１４１Ｂは、被照射面以外に照射される光を拡散させることで、グレアを防止するように構成される。さらに、光拡散部１４１Ｂにより、器具本体１０の内部を見えにくくすることで照明器具１の意匠性を高めることができる。
【００２３】
以上説明したように、本実施形態によれば、光源モジュール１２が取り付けられた器具本体１０の出射開口１３に光透過性のカバー４１を備える照明器具１において、カバー４１の周縁には樹脂製のカバー押さえ４２が形成され、カバー押さえ４２は、器具本体１０の方向に延在した一対の弾性部４７の先端に形成された爪部４８を有し、出射開口１３の周縁に形成された係止孔１９に爪部４８を挿入して、カバー４１を器具本体１０に固定する。この構成によれば、カバー４１を、カバー押さえ４２と、器具本体１０との間で挟持させて器具本体１０に取り付ける必要が無く、カバー４１をカバー押さえ４２と一体に器具本体１０に容易に固定することができる。よって、照明器具１の組立やメンテナンス時の作業性を向上することができる。
【００２４】
また本実施形態によれば、カバー４１は、ガラス製であり、カバー４１と、カバー押さえと、をインサート成形により一体に成形した。この構成によれば、通常ガラス製のカバーで出射開口１３を覆う場合には、カバー４１と器具本体１０との間の防水を、パッキン等の止水部材により図る必要があるが、ガラスのカバー４１に、樹脂のカバー押さえ４２を一体に成形することで、簡単に、カバーユニット４０を防水構造とすることができる。よって、パッキン等の止水部材を介在させることなく、カバーユニット４０を器具本体１０に容易に取り付けることができ、照明器具１の組立やメンテナンス時の作業性を向上することができる。
【００２５】
また本実施形態によれば、カバー１４１の中心部は、透明なレンズ部１４１Ａであり、レンズ部１４１Ａの周囲には光拡散部１４１Ｂが設けられている。この構成によれば、レンズ部１４１Ａにより光源モジュール１２及び反射鏡１４からの光の配光角を狭めて、被照射面を効率良く照らすことができる。また、光拡散部１４１Ｂにより、被照射面以外に照射される光を拡散させてグレアを防止するとともに、器具本体１０の内部を見えにくくすることで照明器具１の意匠性を高めることができる。
【００２６】
また本実施形態によれば、レンズ部１４１Ａは、カバー１４１の器具本体１０側に設けられた複数の凹凸を備える。なお、レンズ部１４１Ａは、フレネルレンズや、凸レンズであってもよい。これらの構成によれば、カバー１４１に設けられたレンズ部１４１Ａにより所望の照射範囲を得ることができ、効率よく被照射面を照らすことができる。
【００２７】
なお、上述した実施の形態は、あくまでも本発明の一態様を示すものであり、本発明の趣旨を逸脱しない範囲で任意に変形及び応用が可能である。
【００２８】
例えば、上述した実施形態では、光源モジュール１２は、ＣＯＢ型のＬＥＤを光源として備える構成としたが、これに限らず、光源モジュール１２は、ＳＭＤ型のＬＥＤを光源として備えていても良い。また、器具本体１０は、１つの光源モジュール１２を備える構成としたが、これに限らず、複数の光源モジュール１２を備える構成でも良い。
【符号の説明】
【００２９】
１  照明器具
１０  器具本体
１１  筐体
１２  光源モジュール
１３  出射開口
１４  反射鏡
４０、１４０  カバーユニット
４１、１４１  カバー
４２  カバー押さえ
１４１Ａ  レンズ部
１４１Ｂ  光拡散部
【図１】
0006614778.tif 000002
【図２】
0006614778.tif 000003
【図３】
0006614778.tif 000004
【図４】
0006614778.tif 000005
【図５】
0006614778.tif 000006
【図６】
0006614778.tif 000007
【図７】
0006614778.tif 000008
【図８】
0006614778.tif 000009